【手続補正書】
【提出日】平成28年11月16日(2016.11.16)
【手続補正１】
【補正対象書類名】特許請求の範囲
【補正対象項目名】全文
【補正方法】変更
【補正の内容】
【特許請求の範囲】
【請求項１】
バッテリが装着される装置のバッテリ装着部への前記バッテリの装着方向側に位置する一方のケースと該装着方向と反対側に位置する他方のケースの間に配置されたバッテリセルと、
前記バッテリセルと電気的接続が図られると共に前記一方のケースと前記バッテリセルの間に配置され、前記一方のケース側を向く一の面を有する基板と、
前記基板に接続されるバッテリ側端子と、を有し、
前記一方のケースの前記装着方向に開口した切欠部から前記バッテリセルに電気的に接続された前記バッテリ側端子の端子ケースが挿入され、
前記バッテリ側端子は端子が前記切欠部から露出され、
前記端子ケースの前記切欠部から外部へ露出された前記装着方向を含む互いに直交する方向に位置する２面のうちの一の面は前記基板の前記一の面に平行な方向に前記一方のケースの一の面から奥まって位置する
バッテリ。
【請求項２】
前記切欠部の両端側に端子ケース位置決めリブが形成される
請求項１に記載のバッテリ。
【請求項３】
前記切欠部の両側に２つの端子ケース位置決めリブが形成され、該２つの端子ケース位置決めリブの間の間隔を前記端子ケースの幅方向の寸法とほぼ同じにした
請求項１に記載のバッテリ。
【請求項４】
前記バッテリは高さと該高さより長い幅と該幅より長い長さを有し、
前記高さ方向の一端側と他端側に上面と下面を、前記幅方向の一端側と他端側に第１の側面と第２の側面を、前記長さ方向の一端側と他端側に前面と後面をそれぞれ有し、
前記切欠部は前記前面に設けられた
請求項１乃至請求項３のいずれかに記載のバッテリ。
【請求項５】
前記バッテリは高さと該高さより長い幅と該幅より長い長さを有し、
前記高さ方向の一端側と他端側に上面と下面を、前記幅方向の一端側と他端側に第１の側面と第２の側面を、前記長さ方向の一端側と他端側に前面と後面をそれぞれ有し、
前記前面は前記第１の側面と第２の側面に平行に延びる段差を有する
請求項１乃至請求項４のいずれかに記載のバッテリ。
【請求項６】
前記バッテリは高さと該高さより長い幅と該幅より長い長さを有し、
前記端子ケースと前記端子ケース位置決めリブの前記長さ方向を形成する面は略同一面である
請求項２乃至請求項４のいずれかに記載のバッテリ。
【請求項７】
前記バッテリは撮像装置のバッテリ装着部に挿着される
請求項１乃至請求項６いずれかに記載のバッテリ。
【請求項８】
前記バッテリは撮像装置を駆動する電力を供給する
請求項１乃至請求項７のいずれかに記載のバッテリ。
【請求項９】
バッテリとバッテリが装着される装置の組み合わせであって、
前記バッテリが装着される装置のバッテリ装着部への前記バッテリの装着方向側に位置する一方のケースと該装着方向と反対側に位置する他方のケースの間に配置されたバッテリセルと、
前記バッテリセルと電気的接続が図られると共に前記一方のケースと前記バッテリセルの間に配置され、前記一方のケース側を向く一の面を有する基板と、
前記基板に接続されるバッテリ側端子と、を有し、
前記一方のケースの前記装着方向に開口した切欠部から前記バッテリセルに電気的に接続された前記バッテリ側端子の端子ケースが挿入され、
前記バッテリ側端子は端子が前記切欠部から露出され、
前記端子ケースの前記切欠部から外部へ露出された前記装着方向を含む互いに直交する方向に位置する２面のうちの一の面は前記基板の前記一の面に平行な方向に前記一方のケースの一の面から奥まって位置する
バッテリとバッテリが装着される装置の組み合わせ。
【請求項１０】
前記切欠部の両端側に端子ケース位置決めリブが形成される
請求項９に記載のバッテリとバッテリが装着される装置の組み合わせ。
【請求項１１】
前記切欠部の両側に２つの端子ケース位置決めリブが形成され、該２つの端子ケース位置決めリブの間の間隔を前記端子ケースの幅方向の寸法とほぼ同じにした
請求項９に記載のバッテリとバッテリが装着される装置の組み合わせ。
【請求項１２】
前記バッテリは高さと該高さより長い幅と該幅より長い長さを有し、
前記高さ方向の一端側と他端側に上面と下面を、前記幅方向の一端側と他端側に第１の側面と第２の側面を、前記長さ方向の一端側と他端側に前面と後面をそれぞれ有し、
前記切欠部は前記前面に設けられた
請求項９乃至請求項１１のいずれかに記載のバッテリとバッテリが装着される装置の組み合わせ。
【請求項１３】
前記バッテリは高さと該高さより長い幅と該幅より長い長さを有し、
前記高さ方向の一端側と他端側に上面と下面を、前記幅方向の一端側と他端側に第１の側面と第２の側面を、前記長さ方向の一端側と他端側に前面と後面をそれぞれ有し、
前記前面は前記第１の側面と第２の側面に平行に延びる段差を有する
請求項９乃至請求項１２のいずれかに記載のバッテリとバッテリが装着される装置の組み合わせ。
【請求項１４】
前記バッテリは高さと該高さより長い幅と該幅より長い長さを有し、
前記端子ケースと前記端子ケース位置決めリブの前記長さ方向を形成する面は略同一面である
請求項１０乃至請求項１２のいずれかに記載のバッテリとバッテリが装着される装置の組み合わせ。
【請求項１５】
前記バッテリは撮像装置のバッテリ装着部に挿着される
請求項９乃至請求項１４いずれかに記載のバッテリとバッテリが装着される装置の組み合わせ。
【請求項１６】
前記バッテリは撮像装置を駆動する電力を供給する
請求項９乃至請求項１５のいずれかに記載のバッテリとバッテリが装着される装置の組み合わせ。
【請求項１７】
前記バッテリは高さと該高さより長い幅と該幅より長い長さを有し、
前記高さ方向の一端側と他端側に上面と下面を、前記幅方向の一端側と他端側に第１の側面と第２の側面を、前記長さ方向の一端側と他端側に前面と後面をそれぞれ有し、
前記バッテリの前記装置への装着状態において、前記装置は前記バッテリの下面部に表示部を有する
請求項９乃至請求項１６のいずれかに記載のバッテリとバッテリが装着される装置の組み合わせ。
【請求項１８】
前記バッテリは高さと該高さより長い幅と該幅より長い長さを有し、
前記高さ方向の一端側と他端側に上面と下面を、前記幅方向の一端側と他端側に第１の側面と第２の側面を、前記長さ方向の一端側と他端側に前面と後面をそれぞれ有し、
前記バッテリの前記装置への装着状態において、前記装置は前記バッテリの前記後面側に前記バッテリの装置からの離脱を行うためのロック機構を有する
請求項９乃至請求項１７のいずれかに記載のバッテリとバッテリが装着される装置の組み合わせ。
【手続補正２】
【補正対象書類名】明細書
【補正対象項目名】発明の名称
【補正方法】変更
【補正の内容】
【発明の名称】バッテリ及びバッテリとバッテリが装着される装置の組み合わせ
【手続補正３】
【補正対象書類名】明細書
【補正対象項目名】００１２
【補正方法】変更
【補正の内容】
【００１２】
そこで、本発明は、上記した課題を解決するために、バッテリが装着される装置のバッテリ装着部への前記バッテリの装着方向側に位置する一方のケースと該装着方向と反対側に位置する他方のケースの間に配置されたバッテリセルと、前記バッテリセルと電気的接続が図られると共に前記一方のケースと前記バッテリセルの間に配置され、前記一方のケース側を向く一の面を有する基板と、前記基板に接続されるバッテリ側端子と、を有し、前記一方のケースの前記装着方向に開口した切欠部から前記バッテリセルに電気的に接続された前記バッテリ側端子の端子ケースが挿入され、前記バッテリ側端子は端子が前記切欠部から露出され、前記端子ケースの前記切欠部から外部へ露出された前記装着方向を含む互いに直交する方向に位置する２面のうちの一の面は前記基板の前記一の面に平行な方向に前記一方のケースの一の面から奥まって位置するものである。
【手続補正４】
【補正対象書類名】明細書
【補正対象項目名】００１３
【補正方法】変更
【補正の内容】
【００１３】
したがって、本発明によれば、組み立てを容易に行うことができ、組み立て工程の自動化を図ることができる。
【手続補正５】
【補正対象書類名】明細書
【補正対象項目名】００１４
【補正方法】変更
【補正の内容】
【００１４】
本発明は、バッテリが装着される装置のバッテリ装着部への前記バッテリの装着方向側に位置する一方のケースと該装着方向と反対側に位置する他方のケースの間に配置されたバッテリセルと、前記バッテリセルと電気的接続が図られると共に前記一方のケースと前記バッテリセルの間に配置され、前記一方のケース側を向く一の面を有する基板と、前記基板に接続されるバッテリ側端子と、を有し、前記一方のケースの前記装着方向に開口した切欠部から前記バッテリセルに電気的に接続された前記バッテリ側端子の端子ケースが挿入され、前記バッテリ側端子は端子が前記切欠部から露出され、前記端子ケースの前記切欠部から外部へ露出された前記装着方向を含む互いに直交する方向に位置する２面のうちの一の面は前記基板の前記一の面に平行な方向に前記一方のケースの一の面から奥まって位置する。
【手続補正６】
【補正対象書類名】明細書
【補正対象項目名】００１７
【補正方法】変更
【補正の内容】
【００１７】
以下に、本発明の詳細を添付図面に示した実施の形態に従って説明する。
【手続補正７】
【補正対象書類名】明細書
【補正対象項目名】０２２７
【補正方法】変更
【補正の内容】
【０２２７】
１…ビデオカメラ（バッテリが装着される装置）、１０…バッテリ装着部、１００…バッテリ、１０１…バッテリケース、１０２…バッテリセル、１０４…基板、１０５…他方のケース、１０６…一方のケース、１０８…切欠部、１０９…端子位置決めリブ（端子ケース位置決めリブ）、１２０…バッテリ側端子、１２１…端子ケース